(57)【要約】【課題】電力消費量が小さく、安価なレーザポインタを提供すること。【解決手段】キー入力部３によって複数の設定時間を予め入力する。キー入力部３を介して講演開始の旨が入力されると、制御部２は、赤色レーザ出射部１ａに連続出射信号を出力して赤色レーザ光線を連続して出射させると共に、タイマー部５に計時を開始させる。制御部２は、タイマー部５の計時時間が設定時間を過ぎると、赤色レーザ出射部１ａへの連続出射信号の出力を停止する一方、緑色レーザ出射部１ｂに連続出射信号を出力する。これによって、映像や提示物を指し示すレーザポインタのレーザ光線の色が、赤色から緑色に変わる。したがって、設定時間の経過がユーザに確実に認識される。時間経過をユーザに通知するためのバイブレータ等を別個に設ける必要が無くて、少ない部品点数で安価に、時間経過の表示が可能なレーザポインタが得られる。【選択図】　図１
2004070157.tif 000002
【特許請求の範囲】
【請求項１】
レーザ光線を出射するレーザ出射部と、
上記レーザ出射部がレーザ光線の出射を開始した時からの経過時間を計る計時部と、
入力された設定時間を格納する記憶部と、
上記計時部が計る経過時間が、上記記憶部に格納された設定時間を過ぎた場合、上記レーザ出射部のレーザ光線の出射動作を変化させて、上記設定時間の経過を示す経過時間表示動作を行なわせる制御部と
を備えることを特徴とするレーザポインタ。
【請求項２】
請求項１に記載のレーザポインタにおいて、
上記制御部は、上記レーザ出射部が出射するレーザ光線の色を変更させて、経過時間表示動作を行なわせることを特徴とするレーザポインタ。
【請求項３】
請求項１に記載のレーザポインタにおいて、
上記制御部は、上記レーザ出射部が出射するレーザ光線を連続出射状態と点滅出射状態との間で変更させて、経過時間表示動作を行なわせることを特徴とするレーザポインタ。
【請求項４】
請求項１に記載のレーザポインタにおいて、
上記記憶部は、複数の上記設定時間が格納可能であり、
上記制御部は、上記計時部が計る経過時間が、上記複数の設定時間の夫々を過ぎる毎に、上記レーザ出射部に経過時間表示動作を行なわせることを特徴とするレーザポインタ。
【発明の詳細な説明】
【０００１】
【発明の属する技術分野】
本発明は、レーザポインタに関する。
【０００２】
【従来の技術】
従来より、講演などの際に、プロジェクタの映像や提示物等を指し示すために、レーザ光線を出射するレーザポインタが利用されている。このような講演の会場では、上記映像や提示物を明瞭にするために周囲を暗くしている場合が多く、レーザポインタのユーザは腕時計や壁掛時計等を視認し難くて、講演時間の経過が把握し難い。そこで、講演が開始して所定時間を経過するとベルを鳴らして、所定時間が経過したことをベルの音で講演者に知らせるようにした講演がある。しかしながら、ベルの音は、受講者にとって耳障りになったり、講演に集中している講演者が気付かなかったりするという不都合がある。そこで、従来、バイブレータを備え、講演が開始して所定時間が経過すると、上記バイブレータが振動して講演時間の経過をユーザ、すなわち、講演者に通知するレーザポインタが提案されている（実登第３０３９４９２号）。
【０００３】
【発明が解決しようとする課題】
しかしながら、上記従来のレーザポインタは、バイブレータを備えるので電力の消費量が大きいという問題がある。また、バイブレータを備えるので部品点数が多くてコスト高であるという問題がある。
【０００４】
そこで、本発明の目的は、電力消費量が小さく、安価なレーザポインタを提供することにある。
【０００５】
【課題を解決するための手段】
上記目的を達成するため、本発明のレーザポインタは、レーザ光線を出射するレーザ出射部と、上記レーザ出射部がレーザ光線の出射を開始した時からの経過時間を計る計時部と、入力された設定時間を格納する記憶部とを備える。そして、上記計時部が計る経過時間が、上記記憶部に格納された設定時間を過ぎた場合、上記制御部によって、上記レーザ出射部のレーザ光線の出射動作を変化させて、上記設定時間の経過を示す経過時間表示動作を行なわせるようにしている。したがって、従来におけるように、時間の経過をユーザに通知するためのバイブレータ等の部品が不用である。したがって、時間経過をユーザに通知できるレーザポインタが、従来よりも少ない部品点数で安価に形成できる。また、上記レーザ光線の出射動作を変化させて経過時間表示動作を行うので、従来のバイブレータによるよりも少ない電力消費量で、経過時間が表示できる。その結果、このレーザポインタは、例えば電源として電池を用いた場合、この電池の交換や充電の頻度を少なくできて、ランニングコストやメンテナンスの手間が削減できる。また、例えば講演会などにおいて、ベルの音で時間の経過を知らせるよりも、受講者に対して耳障りになるようなことが無く、また、講演者としてのユーザに確実に時間の経過を知らせることができる。
【０００６】
１実施形態のレーザポインタは、上記制御部を、上記レーザ出射部が出射するレーザ光線の色を変更させて、経過時間表示動作を行なわせるようにしている。
【０００７】
上記実施形態によれば、上記レーザポインタのユーザによって視認される上記レーザ光線の色が変更されて、経過時間表示動作が行なわれる。したがって、上記ユーザに確実に上記設定時間の経過が通知される。
【０００８】
１実施形態のレーザポインタは、上記制御部を、上記レーザ出射部が出射するレーザ光線の出射状態を、連続出射と点滅出射との間で変更させて、経過時間表示動作を行なわせるようにしている。
【０００９】
上記実施形態によれば、上記レーザポインタのユーザによって視認される上記レーザ光線が、連続出射状態と点滅出射状態との間で変更される。したがって、上記ユーザに確実に上記設定時間の経過が通知される。
【００１０】
１実施形態のレーザポインタは、上記記憶部を、複数の上記設定時間が入力可能にし、上記制御部を、上記計時部が計る経過時間が、上記複数の設定時間の夫々を過ぎる毎に、上記レーザ出射部に経過時間表示動作を行なわせるようにしている。
【００１１】
上記実施形態によれば、上記複数の設定時間の夫々を過ぎる毎に、上記レーザ出射部に経過時間表示動作を行なわせるので、上記レーザ光線の出射が開始された時からの経過時間が、ユーザに正確に通知される。したがって、本実施形態のレーザポインタを用いることによって、例えば講演などが、予め計画された時間割に正確に添って実行できる。また、上記レーザ光線の色や出射状態の変更によって行なわれる複数の経過時間表示動作は、従来のバイブレータによる単なる振動よりも、複数の設定時間に対応付けて識別され易い。したがって、このレーザポインタのユーザに、経過時間を正確に認識させることができる。
【００１２】
【発明の実施の形態】
以下、本発明を図示の実施の形態により詳細に説明する。
【００１３】
図１は、本発明の実施形態のレーザポインタを示すブロック図である。このレーザポインタは、赤色レーザ光線を出射する半導体レーザ素子が設けられた赤色レーザ出射部１ａと、緑色レーザ光線を出射する半導体レーザ素子が設けられた緑色レーザ出射部１ｂを備える。上記赤色レーザ出射部１ａおよび緑色レーザ出射部１ｂは、制御部２に接続されている。この制御部２は、ユーザによって設定時間が入力されるキー入力部３と、上記キー入力部３で入力された設定時間を表示する表示部４と、計時部としてのタイマー部５に接続されている。上記キー入力部３で入力された設定時間は、上記制御部２を介して記憶部７に書き込みおよび読出し可能になっている。また、上記赤色レーザ出射部１ａは、赤色点滅回路部６ａを介して制御部２に接続されており、上記緑色レーザ出射部１ｂは、緑色点滅回路部６ｂを介して制御部２に接続されている。このレーザポインタを構成する各部は、電源部８によって電力が供給されている。
【００１４】
図２は、上記構成のレーザポインタで実行される処理の一例を表すフロー図であり、図３は上記レーザポインタの動作の様子を示すタイムテーブルである。図３のタイムテーブルは、レーザ出射部１ａ，１ｂから出射されるレーザ光線の色と、そのレーザ光線の出射状態とを、時間の経過に対応して示している。図２および図３を用いて、本実施形態のレーザポインタが動作する様子を説明する。
【００１５】
まず、このレーザポインタのユーザは、このレーザポインタを用いて行なう例えば講演の開始前に、講演中に通知されるべき４つの設定時間１〜４を、キー入力部３を介して入力する（Ｓ１）。なお、この通知されるべき設定時間は、１つ以上の何個設定してもよい。本実施形態では、設定時間１として１５分、設定時間２として２０分、設定時間３として２５分、設定時間４として３０分を入力する。この設定時間１〜４は、上記制御部２によって、上記記憶部７に書き込まれて格納される。
【００１６】
上記記憶部７に格納された設定時間１〜４は、上記表示部４に表示されて、ユーザに確認される（Ｓ２）。
【００１７】
講演が開始すると、ユーザによって、キー入力部３を介して講演が開始した旨が入力される（Ｓ３）。
【００１８】
このキー入力部３への入力を検出した制御部２は、上記赤色レーザ出射部１ａに連続出射信号を出力する（Ｓ５）。これによって、赤色レーザ出射部１ａの半導体レーザ素子が連続発振して、矢印Ａで示すように赤色レーザ光線が連続して出射される。ユーザは、この赤色レーザ光線で、プロジェクタ等による映像や提示物等を指し示して講演を行なう。
【００１９】
また、上記キー入力部３への入力を検出した制御部２は、タイマー部５に計時開始の信号を送出し、この信号を受けたタイマー部５は計時を開始する（Ｓ４）。すなわち、このタイマー部５は、上記赤色レーザ出射部１ａが赤色レーザ光線の出射を開始した時からの経過時間、つまり、講演開始時からの経過時間を計時する。
【００２０】
ステップＳ６では、上記タイマー部５の計時時間と、上記記憶部７に格納された設定時間１とを比較する。上記タイマー部５の計時時間が、上記設定時間１の１５分以下である場合は、ステップＳ６を再度実行する。上記タイマー部５の計時時間が、設定時間１の１５分に達するまで、この計時時間と設定時間１との比較を繰り返す。この間、上記赤色レーザ出射部１ａは赤色レーザ光線の連続出射を継続する。
【００２１】
上記タイマー部５の計時時間が、設定時間１の１５分を過ぎると、ステップＳ６からステップＳ７に進む。ステップＳ７において、制御部２は、赤色レーザ出射部１ａへの信号の出力を停止すると共に、緑色レーザ出射部１ｂに連続出射信号を出力する。これによって、上記赤色レーザ出射部１ａからの赤色レーザ光線の出射が停止すると共に、緑色レーザ出射部１ｂの半導体レーザ素子が連続発振して、矢印Ｂで示すように緑色レーザ光線が連続して出射される。したがって、レーザポインタから出射されるレーザ光線が、連続状態の赤色から連続状態の緑色に変化する。その結果、ユーザは、講演開始時から１５分が経過したことが確実に認識できる。この後、上記ユーザは緑色の連続出射状態のレーザ光線で映像や提示物等を指し示して、講演を継続する。
【００２２】
続いて、ステップＳ８では、上記タイマー部５の計時時間と設定時間２とを比較する。上記タイマー部５の計時時間が設定時間２の２０分になるまで、この計時時間と設定時間２との比較を繰り返す。この間、上記緑色レーザ出射部１ｂは緑色レーザ光線の連続出射を継続する。
【００２３】
上記タイマー部５の計時時間が、設定時間２の２０分を過ぎると、ステップＳ８からステップＳ９に進む。ステップＳ９において、制御部２は、緑色レーザ出射部１ｂへの信号の出力を停止すると共に、赤色点滅回路６ａに信号を出力する。これによって、赤色点滅回路６ａから赤色レーザ出射部１ａに駆動電力が供給され、赤色レーザ出射部１ａが、点滅状態の赤色レーザ光線を出射する。したがって、レーザポインタから出射されるレーザ光線が、連続状態の緑色から点滅状態の赤色に変化する。その結果、ユーザは、講演開始時から２０分が経過したことが確実に認識できる。この後、上記ユーザは赤色の点滅出射状態のレーザ光線で映像や提示物等を指し示して、講演を継続する。
【００２４】
引き続いて、ステップＳ１０では、タイマー部５の計時時間と設定時間３とを比較する。上記タイマー部５の計時時間が設定時間３の２５分になるまで、この計時時間と設定時間３との比較を繰り返す。この間、上記赤色レーザ出射部１ａは、点滅状態の赤色レーザ光線の出射を継続する。
【００２５】
上記タイマー部５の計時時間が、設定時間３の２５分を過ぎると、ステップＳ１０からステップＳ１１に進む。すなわち、制御部２は、赤色点滅回路６ａへの信号の出力を停止すると共に、緑色点滅回路６ｂに信号を出力する。これによって、赤色レーザ出射部１ａは赤色レーザ光線の点滅状態の出射を停止すると共に、緑色レーザ出射部１ｂは、点滅駆動信号が供給されて、点滅状態の緑色レーザ光線を出射する。したがって、レーザポインタから出射されるレーザ光線が、点滅状態の赤色から点滅状態の緑色に変化する。その結果、ユーザは、講演開始時から２５分が経過したことが確実に認識できる。この後、上記ユーザは緑色の点滅出射状態のレーザ光線で映像等を指し示して、講演を継続する。
【００２６】
続いて、ステップＳ１２では、タイマー部５の計時時間と設定時間４とを比較する。上記タイマー部５の計時時間が設定時間４の３０分になるまで、この計時時間と設定時間４との比較を繰り返す。この間、上記緑色レーザ出射部１ｂは、点滅状態の緑色レーザ光線の出射を継続する。
【００２７】
上記タイマー部５の計時時間が設定時間４の３０分を過ぎると、ステップＳ１２からステップＳ１３に進んで、制御部２はタイマー部５の計時動作を停止する。そして、ステップＳ１４に進んで、赤色レーザ出射部１ａに連続出射信号を出力する。これによって、レーザポインタから出射されるレーザ光線が、点滅状態の緑色から連続状態の赤色に変化する。したがって、ユーザは、講演開始時から３０分が経過したことが確実に認識できる。そして、上記ユーザは、上記連続出射状態の赤色レーザ光線を用いて、講演終了まで講演を継続する。
【００２８】
講演が終了すると、ユーザによって、キー入力部３を介して講演が終了した旨が入力される（Ｓ１５）。この入力を検出した制御部２は、上記赤色レーザ出射部１ａへの信号の出力を停止して（Ｓ１６）、赤色レーザ光線の連続出射が停止される。
【００２９】
以上のようにして、このレーザポインタは、設定時間１〜４が夫々経過する毎に、レーザ光線の色を変更させ、あるいは、レーザ光線の出射状態を変更させることによって、経過時間表示動作を行なう。このレーザ光線は、ユーザが説明するプロジェクタの映像や提示物等に向って照射されているので、色の変更や出射状態の変更は、上記ユーザに確実に認識される。したがって、このレーザポインタは、ユーザに講演開始時からの経過時間を確実に知らせることができる。
【００３０】
また、本実施形態のレーザポインタは、レーザ光線を出射する赤色レーザ出射部１ａおよび緑色レーザ出射部１ｂに経過時間表示動作を行なわせるので、従来におけるようなバイブレータ等を別個に設ける必要がない。したがって、部品点数の増加が殆ど無くて殆どコストアップすることなく、効果的に経過時間の通知が可能なレーザポインタが製造できる。
【００３１】
また、従来のバイブレータの振動によって時間経過を表示するよりも、電力の消費量が低減できるので、電源部８として電池を用いた場合、電池の交換や充電の頻度を少なくできて、ランニングコストと手間を削減できる。
【００３２】
また、本実施形態のレーザポインタは、赤色および緑色のレーザ光線と、レーザ光線の連続出射状態および点滅出射状態との組み合わせによって、設定時間１〜４に夫々対応して時間の経過を表示するので、単に振動のみで設定時間を順次表示するよりも、ユーザに上記設定時間１〜４を正確に認識させることができる。その結果、ユーザは、予め計画した時間割に正確に添って、効果的に講演を行なうことができる。
【００３３】
また、本実施形態のレーザポインタは、講演会において、ベルの音で時間の経過を知らせる場合のような、受講者に対して耳障りになることが無く、しかも、ユーザがベル音を聞き逃すようなことが無くて、確実に時間の経過をユーザに通知できる。
【００３４】
上記実施形態において、上記点滅回路部６ａ，６ｂは、制御部２と一体に形成してもよい。
【００３５】
また、上記キー入力部３を介して入力した設定時間１〜４は、他の時間が入力されてもよい。また、設定時間は、幾つ設定可能であってもよい。
【００３６】
また、上記キー入力部３は、上記設定時間１〜４の入力と、講演の開始および終了を意味する入力とを受けたが、上記講演の開始および終了を意味する入力は、キー入力部３以外の他の入力部で受けてもよい。
【００３７】
また、上記レーザ出射部１ａ，１ｂが出射するレーザ光線は、連続状態のみであってもよい。あるいは、上記レーザ出射部１ａ，１ｂは、点滅状態のレーザ光線のみを出射してもよい。また、レーザ光線の点滅速度を変えることによって、複数の設定時間の経過を通知してもよい。
【００３８】
また、上記実施形態のレーザポインタのレーザ出射部は、赤色および緑色のレーザ光線に限られず、黄色、白色、青色等他の色のレーザ光線を出射するように形成してもよい。
【００３９】
【発明の効果】
以上より明らかなように、本発明のレーザポインタによれば、レーザ光線を出射するレーザ出射部と、上記レーザ出射部がレーザ光線の出射を開始した時からの経過時間を計る計時部と、入力された設定時間を格納するメモリ部と、上記計時部が計る経過時間が、上記メモリ部に格納された設定時間を過ぎた場合、上記レーザ出射部のレーザ光線の出射動作を変化させて、上記設定時間の経過を表す経過時間表示動作を行なわせる制御部とを備えるので、従来のバイブレータ等を別個に設ける必要が無い。したがって、従来よりも部品点数が削減できてレーザポインタが安価に形成でき、また、従来よりも電力消費量が削減できて、電源としての例えば電池の交換や充電の頻度を少なくして、ランニングコストやメンテナンスの手間が削減でき、しかも、確実にユーザに経過時間を通知できる。
【図面の簡単な説明】
【図１】本発明の実施形態のレーザポインタの概略構成図である。
【図２】図１のレーザポインタの動作時に実行される処理を示したフロー図である。
【図３】図１のレーザポインタの動作の様子を示したタイムテーブルである。
【符号の説明】
１ａ　赤色レーザ出射部
１ｂ　緑色レーザ出射部
２　制御部
３　キー入力部
４　表示部
５　タイマー部
６ａ　赤色点滅回路部
６ｂ　緑色点滅回路部
７　記憶部
８　電源部
【図１】
2004070157.tif 000003
【図２】
2004070157.tif 000004
【図３】
2004070157.tif 000005